(57)【要約】      （修正有）【課題】赤外線センサーを利用し、仏壇の各種照明灯を点灯してその消し忘れや、寺院の納骨堂の各種照明灯を点灯してその消し忘れや電力消費の無駄をなくし、例えば地震等によってローソク灯が転倒しても火災の発生を防止することができる仏壇または納骨堂の照明自動点灯装置を提供する。【解決手段】仏壇前の赤外線検知エリア内に入った人、または寺院等の納骨堂に入室した人の体からの赤外線を感知する赤外線センサー１、商用電源を所要の電圧に降圧したり、かつマイクロコンピュータ２用に降圧するアダプター３、照明装置のＯＮ／ＯＦＦをコントロールするＳＳＲ、タイマー５、マイクロコンピュータ２および収納ケース６等で構成されている。【選択図】図１
0003146825.tif 000002
【実用新案登録請求の範囲】
【請求項１】
仏壇前の赤外線検知エリア内に入った人体または寺院等の納骨堂に入室した人体からの赤外線を感知する赤外線センサーと、
商用電源を所要の電圧に降圧するアダプターと、
前記仏壇または納骨堂に配設された照明装置のＯＮ／ＯＦＦをコントロールするソリッドステートリレーと、
当該ソリッドステートリレーの作動によって点灯し、ヒトが仏壇または納骨堂の赤外線検知エリア外に退去すれば自動的に消灯する照明装置と、
前記ヒトが赤外線センサーの検知エリア外に出てから作動するタイマーと、
前記赤外線センサーの出力およびタイマーを制御するマイクロコンピュータと、
前記ソリッドステートリレー、タイマーおよびマイクロコンピュータ等を収納する収納ケースと、
からなることを特徴とする仏壇または納骨堂の照明自動点灯装置。
【請求項２】
前記赤外線センサーは、仏壇上方の鴨居または天井に設置されている、
ことを特徴とする請求項１に記載する仏壇または納骨堂の照明自動点灯装置。
【請求項３】
前記照明装置が仏壇または納骨堂の天井灯、りん灯、吊り灯籠およびローソク灯である、
ことを特徴とする請求項１に記載する仏壇または納骨堂の照明自動点灯装置。
【請求項４】
前記赤外線センサーおよび照明装置は、自動、停止および手動の三段切換スイッチによって作動すると共に、自動または手動スイッチに対応してＬＥＤが発光する、
ことを特徴とする請求項１〜請求項３の何れかに記載する仏壇または納骨堂の照明自動点灯装置。
【請求項５】
前記タイマーは、前記収納ケースの内底部または外周壁に取り付けられている、
ことを特徴とする請求項１に記載する仏壇または納骨堂の照明自動点灯装置。
【考案の詳細な説明】
【技術分野】
【０００１】
本考案は、仏壇または納骨堂の照明自動点灯装置に関し、より詳しくは、赤外線センサーを利用し、センサー検知エリア内に入ったヒトの人体から発する赤外線を検知すると、仏壇または納骨堂の照明灯が点灯し、センサー検知エリア外にヒトが退出すると装置内のタイマーが作動し、所定の時間が経過すると自動的に照明灯が消灯する、仏壇または納骨堂の照明自動点灯装置に関する。
【背景技術】
【０００２】
我国は仏教国であり、また日本人は故人となった親族や先祖を崇敬する国民である。多くの家庭には仏壇が設置されており、朝夕はローソクや線香に火を点し、親族や先祖にお祈りを捧げる家庭が多い。また年忌等や法事には、親族郎党が菩提寺の納骨堂に参拝する習慣となっている。
【０００３】
従来、家庭における朝夕のお祈りの際、仏壇の照明灯の点灯および消灯は、手動操作で行われ、またローソクは、マッチまたはライター等によって点火されている。しかしながら、近年の高齢化社会に伴い、各家庭における、お祈り後の仏壇の照明灯やローソク炎の消し忘れが起きている。照明灯の消し忘れは電力の無駄使いであり、ローソク炎の消し忘れは、例えば何らかの衝撃や地震等が発生した場合、火災発生の原因ともなりかねない。
【０００４】
寺院等の納骨堂の天井灯は、入口スイッチを住職または参拝者が手動によって点灯されている。また納骨堂内に配設された各納骨室の照明灯は、扉が開放されると点灯し、扉を閉めると消灯するようになっている。しかし、納骨堂の参拝には、一般的に多数の親族、知人または友人が出席するので、扉を閉めることについては、誰でもが他の参列者任せとする傾向にあり、納骨室の扉は開放されたままとなり、照明灯は長時間、点灯されたままの状態になるという不具合がある。
【０００５】
各種のセンサーを利用して、照明灯の点灯または消灯を行う装置が提案、開示されている。例えば、特開２００３−２７２８７８の「室内照明システム」（特許文献１）、特開平５−２９０９７９の「トイレ自動照明装置」（特許文献２）および実用新案登録３１０８６９５の「照明器具」（特許文献３）等である。
【０００６】
特許文献１は、光センサーを利用し、暗がりから起き出したバスルームなどの利用者に対して、始め目が慣れていない時、光量が絞られ、その他の時は普通と変わらない明るさを用意できる利便性の高い、室内照明システムを提供するものである。
【０００７】
特許文献２は、圧力センサーを利用し、ドア開確認スイッチがドアの開を検知すると、トイレ内の照明が点灯され、それと同時に遅れスイッチがオンになされる。設定時間内に圧力センサーが人の入室を検知すると、遅れスイッチがオフされて点灯が保持されるが、設定時間内に圧力センサーが人の入室を検知しない場合には、遅れスイッチの動作によって設定時間後に消灯が行われる。一方前記圧力センサーによる点灯保持後に、圧力センサーが人の退室を検知すると、遅れスイッチがオンになされて所定時間後に消灯が行われる。この一連の動作は、情報処理機からの指示によって行われる、構成となっている。
【０００８】
特許文献３は、震度センサーを利用したもので、 照明灯と該照明灯の電源との間に震度センサーを備えた制御装置を設け、震度センサーに連動して照明灯を点灯させる照明器具において、照明灯をＬＥＤにより形成する。制御装置には震度センサーに応動して照明灯を点滅、減光或いは増光させる光調節回路を設ける、構成としている。
【特許文献１】特開２００３−２７２８７８号公報
【特許文献２】特開平５−２９０９７９号公報
【特許文献３】実用新案登録第３１０８６９５号報
【考案の開示】
【考案が解決しようとする課題】
【０００９】
本考案の課題は、人体から発せられる赤外線を検知する赤外線センサーを利用し、仏壇のローソク灯を含む各種照明灯を点灯すると共に、その消し忘れや、寺院等における納骨堂の各種照明灯を点灯すると共に、その消し忘れをなくして、電力消費の無駄をなくし、何らかの衝撃、例えば地震等によってローソク灯が転倒しても火災の発生を防止することができる、仏壇または納骨堂の照明自動点灯装置を提供することにある。
【課題を解決するための手段】
【００１０】
本考案者は、上記の課題を解決するために、鋭意検討した結果、特に人体から発せられる赤外線を検知する赤外線センサーを利用することに着目して、本考案の完成に至ったものである。課題を解決するための手段は、本願、実用新案登録請求の範囲の各請求項に記載の考案であり、その具体的な解決手段は以下の通りである。
課題を解決するための手段（第１考案〜第３考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案である。
【００１１】
［第１の考案］
上記の課題を解決するための第１の考案は、
「仏壇前の赤外線検知エリア内に入った人体または寺院等の納骨堂に入室した人体からの赤外線を感知する赤外線センサーと、
商用電源を所要の電圧に降圧するアダプターと、
前記仏壇または納骨堂に配設された照明装置のＯＮ／ＯＦＦをコントロールするソリッドステートリレーと、
当該ソリッドステートリレーの作動によって点灯し、ヒトが仏壇または納骨堂の赤外線検知エリア外に退去すれば自動的に消灯する照明装置と、
前記ヒトが赤外線センサーの検知エリア外に出てから作動するタイマーと、
前記赤外線センサーの出力およびタイマーを制御するマイクロコンピュータと、
前記ソリッドステートリレー、タイマーおよびマイクロコンピュータ等を収納する収納ケースと」
からなることを特徴としている。
【００１２】
［第２の考案］
上記の課題を解決するための第２の考案は、
「前記赤外線センサーは、仏壇上方の鴨居または天井に設置されている」
ことを特徴としている。
【００１３】
［第３の考案］
上記の課題を解決するための第３の考案は、
「前記照明装置が仏壇または納骨堂の天井灯、りん灯、吊り灯籠およびローソク灯である」
ことを特徴としている。
【００１４】
［第４の考案］
上記の課題を解決するための第４の考案は、  
「前記赤外線センサーおよび照明装置は、自動、停止および手動の三段切換スイッチによって作動すると共に、自動または手動スイッチに対応してＬＥＤが発光する」
ことを特徴としている。
【００１５】
［第５の考案］
上記の課題を解決するための第５の考案は、  
「前記タイマーは、前記収納ケースの内底部または外周壁に取り付けられている」
ことを特徴としている。
【考案の効果】
【００１６】
本考案は、上記の構成になるから以下の効果を奏する。即ち、第１の考案によれば、
「仏壇前の赤外線検知エリア内に入った人体または寺院等の納骨堂に入室した人体からの赤外線を感知する赤外線センサーと、
商用電源を所要の電圧に降圧するアダプターと、
前記仏壇または納骨堂に配設された照明装置のＯＮ／ＯＦＦをコントロールするソリッドステートリレーと、
当該ソリッドステートリレーの作動によって点灯し、ヒトが仏壇または納骨堂の赤外線検知エリア外に退去すれば自動的に消灯する照明装置と、
前記ヒトが赤外線センサーの検知エリア外に出てから作動するタイマーと、
前記赤外線センサーの出力およびタイマーを制御するマイクロコンピュータと、
前記ソリッドステートリレー、タイマーおよびマイクロコンピュータ等を収納する収納ケースと」
からなるという、当業界においては想到することが困難な特徴的な構成により、
人体から発せられる赤外線を検知する赤外線センサーを利用し、仏壇のローソク灯を含む各種照明灯を点灯すると共に、その消し忘れや、寺院等における納骨堂の各種照明灯を点灯すると共に、その消し忘れをなくして、電力消費の無駄をなくし、何らかの衝撃、例えば地震等によってローソク灯が転倒しても火災の発生を防止することができる、
仏壇または納骨堂の照明自動点灯装置の提供という、本考案の課題を解決することができた。
【００１７】
第２の考案によれば、
「前記赤外線センサーは仏壇上方の鴨居または天井に設置されている」
という、当業界においては想到することが困難な特徴的な構成により、
赤外線センサーは、ヒトの視界に入り難いので、何らの違和感も与えることがなく、お祈りをすることができる。
【００１８】
第３の考案によれば、
「前記照明装置が仏壇または納骨堂の天井灯、りん灯、吊り灯籠およびローソク灯である」
という、当業界においては想到することが困難な特徴的な構成により、
ヒトが赤外線センサー検知エリア内に入れば、赤外線センサーが作動し、ヒトが仏壇前に正座する前、または納骨堂に入ると直ぐに仏壇または納骨堂の天井灯、りん灯、吊り灯籠およびローソク灯等が自動的に点灯するので、直ちにお祈りをすることができ、お祈り後は、ヒトが仏壇または納骨堂の赤外線検知エリア外に退去し、タイマーで設定した時間が経過すれば、各種照明灯は自動的に消灯するので、仏壇または納骨堂の消し忘れを防止できる。
【００１９】
第４の考案によれば、
「前記赤外線センサーおよび照明装置は、自動、停止および手動の三段切換スイッチによって作動すると共に、自動または手動スイッチに対応してＬＥＤが発光する」
という、当業界においては想到することが困難な特徴的な構成により、
通常においては、赤外線センサーおよび照明装置の作動を消し忘れ防止のために自動にしておき、例えば、自宅での法事等に際しては、僧侶による読経や参列者の献香等が行われ、照明灯は長時間使われるので手動に切換えることができる。また旅行等により長期間、自宅を留守にするときなどは、切換スイッチは停止とすることができる。
【００２０】
第５の考案によれば、
「前記タイマーは、前記収納ケースの内底部または外周壁に取り付けられている」
という、当業界においては想到することが困難な特徴的な構成により、
各種の機器を収納した収納ケースの設置場所の条件に適応するように選択することができる。
【考案を実施するための最良の形態】
【００２１】
以下、本考案に係る、仏壇または納骨堂の照明自動点灯装置の好適な実施形態について図面を参照しながら説明する。図１は、配線コードを省略した本考案装置の一部切欠平面図、図２は、本考案装置を、一般家庭の仏壇に設置した状態の正面図、図３は、本考案装置を、寺院等の納骨堂に設置した状態の正面図、図４は、本考案装置のブロック図、図５は三段切換スイッチ７における自動および手動スイッチの回路図である。
【００２２】
本考案に係る、仏壇Ｂまたは納骨堂Ｎの照明自動点灯装置（以下、自動点灯装置Ｌという）は、図１に示すように、仏壇Ｂ前の赤外線検知エリアＡ内に入った人体、または寺院等の納骨堂Ｎに入室した人体からの赤外線を感知する赤外線センサー１、ＡＣ１００Ｖ電圧の商用電源を所要の電圧、例えば、赤外線センサー１用に９．６Ｖに降圧したり、かつマイクロコンピュータ２用に５Ｖに降圧するアダプター３、仏壇Ｂまたは納骨堂Ｎに配設された照明装置４のＯＮ／ＯＦＦをコントロールするソリッドステートリレー（以下、ＳＳＲという）、ＳＳＲの作動によって点灯し、ヒトＨが仏壇Ｂまたは納骨堂Ｎの赤外線検知エリアＡ外に退去すれば自動的に消灯する照明装置４、ヒトＨが赤外線センサー１の検知エリアＡ外に出てから作動するタイマー５、赤外線センサー１の出力およびタイマー５を制御するマイクロコンピュータ２、ＳＳＲおよびタイマー５等を収納する収納ケース６を主要な部材として構成されている。７は三段切換スイッチ、８および９はＬＥＤで、例えば自動スイッチのときは、赤色のＬＥＤ８が点灯し、手動に切り換えると青色のＬＥＤ９が点灯するようになっている。１０は赤外線センサー１の検知出力を増幅する増幅用リレー、１１および１２は端子台、２ｂはアルミ製の放熱板である。１３はマイクロコンピュータ２の電源、１４は赤外線センサー１の電源である。なおタイマー５１は、収納ケース６の外周壁６ａに取り付けることも可能である。６１は収納ケース６の蓋体である。
【００２３】
図２は、 本考案の自動点灯装置Ｌを一般家庭の仏壇Ｂに設置した状態を示し、赤外線センサー１は、仏壇Ｂ上方の鴨居２０または天井２１に設置されている。赤外線検知エリアＡ内にヒトＨが入ると赤外線センサー１の検知出力を増幅用リレー１０で増幅し、マイクロコンピュータ２およびＳＳＲが作動して仏壇Ｂ内に設置している照明装置４の天井灯４ａ、りん灯（吊り灯籠）４ｂおよびローソク灯４ｃ等が点灯する。ヒトＨは、直ちに合掌してお祈りをすることができ、お祈り（お勤め）を終わり、ヒトＨが赤外線検知エリアＡ外に退去すれば、マイクロコンピュータ２およびＳＳＲが作動して、タイマー５が起動する。タイマー５の時間を、例えば２分に設定していれば、ヒトＨが赤外線検知エリアＡ外に退去して２分後に、照明装置４の天井灯４ａ、りん灯（吊り灯籠）４ｂおよびローソク灯４ｃ等は、全て消灯する。なお、本願明細書等にて用いられるローソク灯とは、例えばフリッカーランプ（商品名：旭光電機工業（株））のように、クリヤーガラス球で軸部が白色または乳白色で、頂部は炎の形状と赤色系のランプを設けたローソクに似せた灯具をいう。
【００２４】
図３は、 本考案の自動点灯装置Ｌを寺院等の納骨堂Ｎに設置した状態を示し、赤外線センサー１は、納骨堂Ｎの天井３１に設置されている。赤外線検知エリアＡ内にヒトＨが入ると赤外線センサー１の検知出力を増幅用リレー１０が増幅し、マイクロコンピュータ２およびＳＳＲが作動して仏壇Ｂ内に設置している照明装置４の室内灯４１、天井灯４１ａおよびフリッターランプ４１ｂ等が点灯する。ヒトＨは、直ちに合掌してお祈りをすることができ、お祈り（お勤め）を終わり、ヒトＨが赤外線検知エリアＡ外に退去すれば、マイクロコンピュータ２およびＳＳＲが作動して、タイマー５が起動する。タイマー５の時間を、例えば１０分に設定していれば、ヒトＨが赤外線検知エリアＡ外に退去して１０分後に、照明装置４の室内灯４１、天井灯４１ａおよびローソク灯４１ｂ等は、全て消灯する。
【産業上の利用可能性】
【００２５】
本考案に係る、自動点灯装置は、一般家庭の仏壇Ｂまたは寺院等の納骨堂Ｎの照明装置４を自動的に点灯および消灯することができるので、照明装置４の消し忘れによる電力消費の無駄をなくすと共に、ローソクの炎による火災発生を未然に防止でき、産業上かつ社会的に有意義な考案として貢献することができる。
【図面の簡単な説明】
【００２６】
【図１】は、配線コードを省略した本考案装置の一部切欠平面図である。
【図２】は、本考案装置を、一般家庭の仏壇に設置した状態の正面図である。
【図３】は、本考案装置を、寺院等の納骨堂に設置した状態のである。
【図４】は、本考案装置のブロック図
【図５】は、三段切換スイッチ７における自動および手動スイッチの回路図である。
【符号の説明】
【００２７】
Ｌ            自動点灯装置
Ａ            赤外線検知エリア
Ｂ            仏壇
Ｈ            ヒト
Ｎ            納骨堂
１            赤外線センサー
２            マイクロコンピュータ
３            アダプター
４            照明装置
４ａ          天井灯
４ｂ          りん灯（吊り灯籠）
４ｃ          ローソク灯
５、５１      タイマー
ＳＳＲ        ソリッドステートリレー
６            収納ケース
７            三段切換スイッチ
８、９        ＬＥＤ
１０          増幅用リレー
１１、１２    端子台
２ｂ          放熱板
２１、３１    天井
４１          室内灯
４１ａ        天井灯
４１ｂ        ローソク灯
【図１】
0003146825.tif 000003
【図２】
0003146825.tif 000004
【図３】
0003146825.tif 000005
【図４】
0003146825.tif 000006
【図５】
0003146825.tif 000007